(57)【要約】【課題】  デザイン性に優れ、偽造防止性が高く、セキュリティ的にも信頼性が高い凹凸構造体を提供する。【解決手段】  凹凸構造体３は、所定の波長の光を照射することにより回折光が生じ特定の情報を表示する基本散乱構造２１，２２を有し、元画像１の輝度に対応して基本散乱構造２１，２２の角度を設定して、元画像１を構成することを特徴とする。【選択図】図５
2013242452.tif 000002
【特許請求の範囲】
【請求項１】
所定の波長の光を照射することにより回折光が生じ特定の情報を表示する基本散乱構造を有し、
元画像の輝度に対応して前記基本散乱構造の角度を設定して、前記元画像を構成する
ことを特徴とする凹凸構造体。
【請求項２】
前記基本散乱構造は、前記元画像の第１の輝度の部分に対応する第１基本散乱構造と、前記元画像の第２の輝度の部分に対応する第２基本散乱構造と、を有する
ことを特徴とする請求項１に記載の凹凸構造体。
【請求項３】
前記第２基本散乱構造は、前記第１基本散乱構造を９０°回転させた構造である
ことを特徴とする請求項２に記載の凹凸構造体。
【請求項４】
前記基本散乱構造は、前記特定の情報に対応するデータをフーリエ変換し、その位相情報を多値化して深さとして記録する
ことを特徴とする請求項１乃至請求項３のいずれか１項に記載の凹凸構造体。
【発明の詳細な説明】
【技術分野】
【０００１】
本発明は、物品等に貼付又は転写することで、物品の偽造を防止する凹凸構造体に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、回折格子を使用した表示体を用いて物品の真偽を確認するものや、回折格子表示体と散乱構造体を同一画面上で構成した偽造防止媒体が開示されている（特許文献１）。
【０００３】
また、フーリエ変換した原画像の位相情報を多値化し、深さとして記録することで、レーザー光を照射することにより、目視できない情報が再現する構造体が開示されている（特許文献２）。
【先行技術文献】
【特許文献】
【０００４】
【特許文献１】特開２００７−２１９５５１号公報
【特許文献２】特開２００４−２１２９２７号公報
【発明の概要】
【発明が解決しようとする課題】
【０００５】
しかしながら、特許文献１に開示された偽造防止媒体は、散乱構造の白さを利用して図柄を構成しているため、単に図柄が白いか否かが真偽判定のポイントとなっている。そのため、見た目に同じ様に見える散乱構造を作成することができれば、媒体を偽造されるおそれがある。
【０００６】
本発明は、デザイン性に優れ、偽造防止性が高く、セキュリティ的にも信頼性が高い凹凸構造体を提供する。
【課題を解決するための手段】
【０００７】
上記目的を達成する本発明の凹凸構造体は、所定の波長の光を照射することにより回折光が生じ特定の情報を表示する基本散乱構造を有し、元画像の輝度に対応して前記基本散乱構造の角度を設定して、前記元画像を構成することを特徴とする。
【０００８】
また、前記基本散乱構造は、前記元画像の第１の輝度の部分に対応する第１基本散乱構造と、前記元画像の第２の輝度の部分に対応する第２基本散乱構造と、を有することを特徴とする。
【０００９】
また、前記第２基本散乱構造は、前記第１基本散乱構造を９０°回転させた構造であることを特徴とする。
【００１０】
また、前記基本散乱構造は、前記特定の情報に対応するデータをフーリエ変換し、その位相情報を多値化して深さとして記録することを特徴とする。
【発明の効果】
【００１１】
本発明によれば、デザイン性に優れ、偽造防止性が高く、セキュリティ的にも信頼性が高い凹凸構造体を提供することが可能となる。
【図面の簡単な説明】
【００１２】
【図１】第１実施形態の元画像を示す図である。
【図２】第１実施形態の隠し画像を示す図である。
【図３】第１実施形態の隠し画像の基本散乱構造データを示す図である。
【図４】第１実施形態の隠し画像の基本散乱構造データを９０°回転した状態を示す図である。
【図５】第１実施形態の元画像の画像データに隠し画像の基本散乱構造データを記録した凹凸構造体を示す図である。
【図６】図５のＡの部分を拡大した図である。
【図７】凹凸構造体を９０°回転した状態を示す図である。
【図８】凹凸構造体に光源からレーザー光を照射した状態を示す図である。
【図９】第２隠し画像を示す図である。
【図１０】第２実施形態の凹凸構造体３の第２基本散乱構造２２の部分に光源Ｌからレーザー光を照射した状態を示す図である。
【図１１】第２実施形態の凹凸構造体３の第１基本散乱構造２１の部分及び第２基本散乱構造２２の部分に跨がるように光源Ｌからレーザー光を照射した状態を示す図である。
【発明を実施するための形態】
【００１３】
以下、図面を参照にして本発明にかかる凹凸構造体について説明する。
【００１４】
図１は、第１実施形態の元画像１を示す図である。
【００１５】
本実施形態の元画像１は、コンピュータ上で電子情報として作製される図柄である。元画像１の画像データは、モノクロ画像のデータであり、カラーの画像をグレースケール化してモノクロに変換する。元々、モノクロの画像の場合には、そのままモノクロの元画像１の画像データを使用する。
【００１６】
本実施形態では、図１に示すように、元画像１は、第１の輝度としての輝度１００の第１輝度部１ａと、第２の輝度としての輝度０の第２輝度部１ｂの２階調で示されている。
【００１７】
図２は、第１実施形態の隠し画像２を示す図である。
【００１８】
隠し画像２は、図１に示した元画像１に対して、元画像１の特徴を損なわないように埋め込まれ、視認可能な元画像１とは別の情報をいう。隠し画像２は、所定の観察条件でのみ確認可能な画像、図形、又は文字等が好ましい。
【００１９】
図３は、第１実施形態の隠し画像２の第１基本散乱構造２１を示す図である。図４は、第１実施形態の隠し画像の基本散乱構造データを９０°回転した第２基本散乱構造２２を示す図である。
【００２０】
第１実施形態の第１基本散乱構造２１は、隠し画像２をフーリエ変換し、その位相情報を２値化して深さとして記録したものである。なお、フーリエ変換後の位相情報は、２値化に限らず、多値化して深さとして記録してもよい。この第１基本散乱構造２１は、レーザー光を照射すると、回折光の集合が特定の情報を持つように構成されている。本実施形態の第１基本散乱構造２１にレーザー光を照射すると、図２に示した「ＯＫ」の文字を観察することができる。
【００２１】
第１基本散乱構造２１は、一見すると単なる白色の図柄に見えるが、レーザー光を照射すると、回折光の集合を観察することができるので、真偽の判定を行うことが可能となる。
【００２２】
第２基本散乱構造２２は、第１基本散乱構造２１と基本的な構造が同一であるが、第１基本散乱構造を９０°回転させた構造を有する。
【００２３】
第２基本散乱構造２２は、一見すると単なる黒色の図柄に見えるが、レーザー光を照射すると、回折光の集合を観察することができるので、真偽の判定を行うことが可能となる。
【００２４】
次に、凹凸構造体について説明する。
【００２５】
図５は、第１実施形態の元画像１を隠し画像２の基本散乱構造を記録することにより形成した凹凸構造体３を示す図である。また、図６は、図５のＡの部分を拡大した図である。さらに、図７は、凹凸構造体３を９０°回転した状態を示す図である。
【００２６】
図５に示した凹凸構造体３は、図１に示した元画像１の輝度に対応させて、図３及び図４に示した第１基本散乱構造２１及び第２基本散乱構造２２を配置させて図柄を構成したものである。したがって、凹凸構造体３は、モノクロの元画像を表現することができる。
【００２７】
本実施形態の凹凸構造体３は、第１散乱度部３ａ、第２散乱度部３ｂを有する。第１散乱度部３ａは、図１に示した元画像の輝度が１００の第１輝度部１ａに用いられる。第２散乱度部３ｂは、図１に示した元画像の輝度が０の第２輝度部１ｂに用いられる。
【００２８】
例えば、図５のＡの部分は、図６に示すように、第１散乱度部３ａと第２散乱度部３ｂが対応する。そして、第１散乱度部３ａは、第１基本散乱構造２１の集合から構成され、第２散乱度部３ｂは、第２基本散乱構造２２の集合から構成される。
【００２９】
このような凹凸構造体３は、従来から用いられているＥＢ描画等の手法を用いて作成する。この際、パターンの白部または黒部を凹部または凸部に対応させて形成する。
【００３０】
このような構成の凹凸構造体３は、９０°回転してみると、図７に示すように、図柄の黒と白が反転して見える。
【００３１】
図８は、第１実施形態の凹凸構造体３に光源Ｌからレーザー光を照射した状態を示す図である。
【００３２】
通常、凹凸構造体３を観察した場合、観察者は、図１に示したモノクロの元画像１、または黒と白が反転したモノクロの元画像１を観察することが可能である。通常の状態では、隠し画像は、観察することができない。
【００３３】
図８に示すように、凹凸構造体３に光源Ｌからレーザー光を照射すると、回折光の集合によって、隠し画像を観察することが可能となる。本実施形態の場合、隠し画像２としての「ＯＫ」の文字が浮き出ているように観察することができ、真偽を判定することが可能となる。
【００３４】
図９は、第２実施形態の第２隠し画像２’を示す図である。
【００３５】
第２実施形態では、第２基本散乱構造２２は、第１基本散乱構造２１とは異なり、レーザー光を照射すると、図９に示すように、第１基本散乱構造２１の第１隠し画像２「ＯＫ」とは別の第２隠し画像２’「ＮＧ」を観察することができる構造として、第１基本散乱構造２１に対して９０°回転させて配置する。
【００３６】
このような構成の凹凸構造体３は、９０°回転してみると、第１実施形態と同様に、図７に示すように、図柄の黒と白が反転して見える。
【００３７】
図１０は、第２実施形態の凹凸構造体３の第２基本散乱構造２２の部分に光源Ｌからレーザー光を照射した状態を示す図である。図１１は、第２実施形態の凹凸構造体３の第１基本散乱構造２１の部分及び第２基本散乱構造２２の部分に跨がるように光源Ｌからレーザー光を照射した状態を示す図である。
【００３８】
通常、凹凸構造体３を観察した場合、観察者は、図１に示したモノクロの元画像１、または黒と白が反転したモノクロの元画像１を観察することが可能である。通常の状態では、隠し画像は、観察することができない。
【００３９】
図１０に示すように、凹凸構造体３に光源Ｌからレーザー光を照射すると、回折光の集合によって、隠し画像を観察することが可能となる。本実施形態の場合、第１基本散乱構造２１の部分に照射されたレーザー光では、図８に示したように、第１隠し画像２としての「ＯＫ」の文字が浮き出ているように観察することができ、真偽を判定することが可能となる。また、第２基本散乱構造２２の部分に照射されたレーザー光では、図１０に示すように、第２隠し画像２’としての「ＮＧ」の文字が浮き出ているように観察することができ、真偽を判定することが可能となる。
【００４０】
さらに、図１１に示すように、第１基本散乱構造２１の部分及び第２基本散乱構造２２の部分に跨がるように照射されたレーザー光では、第１隠し画像２としての「ＯＫ」及び第２隠し画像２’「ＮＧ」の２文字が浮き出ているように観察することができ、真偽を判定することが可能となる。
【００４１】
次に、本実施形態の凹凸構造体３の使用方法について説明する。
【００４２】
通常、印刷物等に貼着して用いる凹凸構造体３としては、凹凸のレリーフ構造の回折格子のレリーフ面あるいは平面に蒸着等で金属反射膜を設けて反射型とした回折格子が用いられるが、それ以外に、振幅が周期的に変化する振幅型回折格子を構成するもの又は屈折率が周期的に変化して位相型回折格子を構成するものの裏面に金属反射膜を設けて反射型とした回折格子、体積型感光材料中に干渉縞で回折格子を構成した体積型回折格子等を用いてもよい。
【００４３】
もちろん、反射型でなく透過型のもので構成し、回折格子も透過型の回折格子で構成してもよい。
【００４４】
さて、凹凸構造体３は、転写箔、ラベル、フィルム等種々の形態に構成することができる。転写箔形態の場合には、例えば商品券、クレジットカード、パッケージ等に適用でき、ラベル形態の場合には、例えばソフトウエア、カートリッジ、医薬品等のパッケージ等に適用でき、フィルム形態の場合には、例えばそのフィルムを１〜２ｍｍ程度の幅にマイクロスリットし、用紙の抄造時に紙中に共に抄き込んで偽造防止を図ることができる。また、ラベル形態の場合には、脆質層を層構成中に介在させて、偽造のためにラベルを剥離しようとしたときにその脆質層から剥がれるようにして偽造のために表示体を剥がすことを困難にすることができる（脆質ラベル）。
【００４５】
本実施形態の光回折構造による隠し画像２を内包する凹凸構造体３を、転写箔、ラベル、脆質ラベル、フィルムの各形態に構成する場合の、層構成とその作製工程は、特許文献２等に記載されたものと同様である。
【００４６】
このように、本実施形態の凹凸構造体３は、所定の波長の光を照射することにより回折光が生じ特定の情報を表示する基本散乱構造２１，２２を有し、元画像１の輝度に対応して基本散乱構造２１，２２の角度を回転させて、元画像１を構成するので、デザイン性に優れ、偽造防止性が高く、セキュリティ的にも信頼性が高いものである。
【００４７】
また、基本散乱構造２１，２２は、元画像１の第１の輝度の部分に対応する第１基本散乱構造２１と、元画像１の第２の輝度の部分に対応する第２基本散乱構造２２と、を有するので、簡単な構造で観察画像に変化を持たせることが可能となる。
【００４８】
また、第２基本散乱構造２２は、第１基本散乱構造２１を９０°回転させた構造であるので、より簡単な構造で観察画像に変化を持たせることが可能となる。
【００４９】
また、基本散乱構造２１は、特定の情報に対応するデータをフーリエ変換し、その位相情報を多値化して深さとして記録するので、短時間で容易に製作することが可能となる。
【００５０】
以上、凹凸構造体をいくつかの実施例に基づいて説明してきたが、本発明はこれら実施例に限定されず種々の変形が可能である。
【符号の説明】
【００５１】
１…元画像
２…隠し画像
２１…基本散乱構造
２２…基本散乱構造
３…凹凸構造体
【図１】
2013242452.tif 000003
【図２】
2013242452.tif 000004
【図３】
2013242452.tif 000005
【図４】
2013242452.tif 000006
【図５】
2013242452.tif 000007
【図６】
2013242452.tif 000008
【図７】
2013242452.tif 000009
【図８】
2013242452.tif 000010
【図９】
2013242452.tif 000011
【図１０】
2013242452.tif 000012
【図１１】
2013242452.tif 000013